(57)【要約】【課題】アンテナ用電極端子を備えるメモリカードに対応しながら、他の種類のメモリカードが装着されたときの問題を抑制する。【解決手段】アンテナと、メモリカードを装着するカードソケットと、カードソケットにメモリカードが装着されたか否かを検出する検出部と、アンテナの端子とカードソケットに装着されたメモリカードの所定の接続端子との電気的な接続をオン状態とオフ状態との間で切り替える切替部と、切替部の動作を制御する制御部とを備え、制御部は、検出部によってカードソケットへのメモリカードの装着が検出されたとき、装着されたメモリカードの種類を判定し、判定されたメモリカードが特定種類のメモリカードである場合にのみ、電気的な接続をオフ状態からオン状態に切り替えるように切替部を制御する。【選択図】図１
2013178758.tif 000002
【特許請求の範囲】
【請求項１】
アンテナと、
メモリカードを装着するカードソケットと、
前記カードソケットにメモリカードが装着されたか否かを検出する検出部と、
前記アンテナの端子と前記カードソケットに装着されたメモリカードの所定の接続端子との電気的な接続をオン状態とオフ状態との間で切り替える切替部と、
前記切替部の動作を制御する制御部とを備え、
前記制御部は、
前記検出部によってカードソケットへのメモリカードの装着が検出されたとき、装着されたメモリカードの種類を判定し、判定されたメモリカードが特定種類のメモリカードである場合にのみ、前記電気的な接続をオフ状態からオン状態に切り替えるように前記切替部を制御するカード通信装置。
【請求項２】
前記制御部は、
前記検出部によってカードソケットからのメモリカードの取り外しが検出されたとき、前記電気的な接続をオフ状態とするように前記切替部を制御する請求項１に記載のカード通信装置。
【請求項３】
前記切替部は、前記電気的な接続をオフ状態とするときには、前記メモリカードの接続端子を接地する請求項１に記載のカード通信装置。
【請求項４】
前記カードソケットは、前記アンテナと前記メモリカードとを電気的に接続するアンテナ用コンタクトピンを備え、
前記メモリカードの接続端子は、前記アンテナ用コンタクトピンが接触するものである請求項１に記載のカード通信装置。
【請求項５】
前記特定種類のメモリカードは、無線通信に対応するメモリカードである請求項１に記載のカード通信装置。
【請求項６】
前記特定種類のメモリカードは、ＮＦＣ規格のメモリカードである請求項１に記載のカード通信装置。
【請求項７】
前記特定種類のメモリカードは、ＳＤカードである請求項６に記載のカード通信装置。
【請求項８】
前記切替部は、前記制御部からのセット信号およびリセット信号を受け付けるフリップフロップを備える請求項１に記載のカード通信装置。
【請求項９】
カード通信装置の主電源がオフ状態のときに、前記検出部、前記切替部、および前記制御部に電力を供給する予備電源を更に備える請求項１または２に記載のカード通信装置。
【発明の詳細な説明】
【技術分野】
【０００１】
本開示は、アンテナ端子付きメモリカードを用いて外部機器と無線通信を行うカード通信装置に関する。
【背景技術】
【０００２】
デジタル、スチル、カメラや携帯電話にて用いられるメモリカードは、その種類ごとの規格によって、端子構造やインタフェースが定められている。カード規格を統一することにより、メモリカードは、多様な機器との接続が可能となっており、広範囲にわたるデータの受け渡しを容易としている。また、カード規格の統一は、メモリカードの汎用性を高めて、大量生産による低価格での提供を可能としており、使用者の利便性を高めている。これにより、メモリカードは急速に広く普及している。
【０００３】
近時、普及しているメモリカードの一つとして、ｍｉｃｒｏＳＤカードを挙げることができる。ｍｉｃｒｏＳＤカードにおいては、様々な種類のファミリー規格が現れている。例えば、フラッシュメモリ内部にデータを格納するだけの従来のｍｉｃｒｏＳＤカードに加えて、ＩＣＯＣＡなどのようなＩＣカードなどで用いられる近距離無線通信規格（Near Field Communication，以下「ＮＦＣ」と称する）を取り入れたＮＦＣ  ｍｉｃｒｏＳＤカードも登場している。
【０００４】
ＮＦＣにおいては、電磁結合を用いて、リーダ、ライタを含む外部機器（以下、「リーダ、ライタ等」と称する）と通信するためのアンテナを設けることが不可欠である。一般には、効率よく電磁結合させるために、ループ状に形成したループアンテナが用いられる。
【０００５】
ｍｉｃｒｏＳＤカードは、１１ｍｍ×１５ｍｍの小さなサイズである。したがって、ｍｉｃｒｏＳＤカードにループアンテナを内蔵したとしても、アンテナサイズが小さすぎて、実用的な出力が得られない。この問題を解決するために、従来、特許文献１のように、メモリカード上に外部アンテナとの接続用端子を設け、この接続用端子に接続した外部アンテナを介して電磁結合を実現し、十分な出力を確保するという手法が採用されている。
【０００６】
前述のＮＦＣ  ｍｉｃｒｏＳＤカードにおいても、カード上にアンテナ用電極端子が設けられており、このアンテナ用電極端子が、取り付けられた各種機器やカードソケットに設けられた外部アンテナと接続される構成となっている。
【先行技術文献】
【特許文献】
【０００７】
【特許文献１】特開２００５−２６９１１１号公報
【非特許文献】
【０００８】
【非特許文献１】ＳＤ  Ｓｐｅｃｉｆｉｃａｔｉｏｎｓ  Ｐａｒｔ  １  ｍｉｃｒｏ  ＳＤ  Ｃａｒｄ  Ｓｐｅｃｉｆｉｃａｔｉｏｎ  Ｖｅｒｓｉｏｎ  ３．００，Ｆｅｂｒｕａｒｙ  １８，２０１０
【非特許文献２】ＳＤ  Ｓｐｅｃｉｆｉｃａｔｉｏｎｓ  Ｐａｒｔ  １  ｍｉｃｒｏ  ＳＤ  Ｃａｒｄ  Ｓｐｅｃｉｆｉｃａｔｉｏｎ  Ｖｅｒｓｉｏｎ  ４．００  Ｄｒａｆｔ  １．００，Ｎｏｖｅｍｂｅｒ  ２４，  ２０１１
【発明の概要】
【発明が解決しようとする課題】
【０００９】
前述のように、メモリカードの端子構造は、統一された規格ないし種類によって固有に定まっている。したがって、同じｍｉｃｒｏＳＤカードのファミリー規格であっても、近距離無線通信対応のＮＦＣ  ｍｉｃｒｏＳＤカードと、その他のｍｉｃｒｏＳＤカードとでは、端子構造は異なり、電極端子の配置は大きく違っている。
【００１０】
例えば、ＮＦＣ  ｍｉｃｒｏＳＤカードにおいて、アンテナ用電極端子が設けられる位置には、他のｍｉｃｒｏＳＤカード（例えば、高速転送規格のＵＨＳ−ＩＩ  ｍｉｃｒｏＳＤカード）では、データ入出力用の端子が設けられることがある。したがって、使用者の誤り等によって、ＮＦＣ  ｍｉｃｒｏＳＤカード用のカードソケットに、他の種類のｍｉｃｒｏＳＤカードが装着されると、端子構造が合致しないため適切に機能しないのみならず、装着時に印加される信号によりカードがダメージを受けることもある。
【００１１】
本開示は、このような課題を解決するためになされたものであり、アンテナ用電極端子を備えるメモリカードに対応しながら、他の種類のメモリカードが装着されたとしても問題の生じないカード通信装置を提供する。
【課題を解決するための手段】
【００１２】
本開示におけるカード通信装置は、アンテナと、メモリカードを装着するカードソケットと、前記カードソケットにメモリカードが装着されたか否かを検出する検出部と、前記アンテナの端子と前記カードソケットに装着されたメモリカードの所定の接続端子との電気的な接続をオン状態とオフ状態との間で切り替える切替部と、前記切替部の動作を制御する制御部とを備え、前記制御部は、前記検出部によってカードソケットへのメモリカードの装着が検出されたとき、装着されたメモリカードの種類を判定し、判定されたメモリカードが特定種類のメモリカードである場合にのみ、前記電気的な接続をオフ状態からオン状態に切り替えるように前記切替部を制御する。
【発明の効果】
【００１３】
本開示におけるカード通信装置は、アンテナ用電極端子を備えるメモリカードに対応しながら、他の種類のメモリカードが装着されたとしても問題を生ぜず、多くの場合にメモリカードを正常動作させることができる。
【図面の簡単な説明】
【００１４】
【図１】第１の実施形態における、無線カードシステムの構成を示す図
【図２】メモリカード装着後の処理フローを示すフローチャート
【図３】無線未対応メモリカードが装着されたカード通信装置の構成を示す図
【図４】スイッチ制御器の内部構成例を示す図
【図５】第２の実施形態における、入出力コンバータを備えたカードシステムの構成を示す図
【図６】第２の実施形態におけるアンテナ切替器と入出力コンバータの具体的な構成例を示す図
【図７】第２の実施形態における入出力コンバータの具体的な構成例を示す図
【図８】第３の実施形態における、入出力コンバータを備えたカードシステムの構成を示す図
【図９】第３の実施形態におけるアンテナ切替器と入出力コンバータの具体的な構成例を示す図
【図１０】第４の実施形態における、入出力コンバータを備えたカードシステムの構成を示す図
【図１１】第４の実施形態における入出力コンバータの具体的な構成例を示す図
【図１２】従来の無線カードシステムの構成を示す図
【図１３】無線未対応メモリカードが装着された従来のカード通信装置の構成を示す図
【発明を実施するための形態】
【００１５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、発明者は、当業者が本開示を十分に理解するために添付図面および以下の説明を提供するのであって、これらによって特許請求の範囲に記載の主題を限定することを意図するものではない。
【００１７】
（実施の形態１）
以下、図面を参照しながら、本実施の形態に係るカード通信装置について説明する。
【００１８】
＜従来のカード通信装置＞
図１２は、ＮＦＣ  ｍｉｃｒｏＳＤカード１００が装着される従来のカード通信装置１０の構成を示している。同図においては、ＮＦＣ  ｍｉｃｒｏＳＤカード１００とカード通信装置１０との両者によって無線カードシステムを構成している。図６に示されるように、カード通信装置１０は、ＮＦＣ  ｍｉｃｒｏＳＤカード用ソケット２００、メモリカード検出機構２５０、ループアンテナ６００、およびホストＬＳＩ７００を備えている。
【００１９】
図１２に示されるように、ＮＦＣ  ｍｉｃｒｏＳＤカード１００の表面には、電極端子が図面縦方向を列方向として２列にわたって配置されている。このうち、カード端部側に位置する１列目には、ｍｉｃｒｏＳＤカードのファミリー規格に共通する入出力電極端子が設けられている。そして、カード中央側に位置する２列目には、ループアンテナ６００と接続するためのアンテナ用電極端子１０１および１０２が設けられている。また、１列目に配置された端子の１つはグランドに接続されるグランド端子である。
【００２０】
ＮＦＣ  ｍｉｃｒｏＳＤカード用ソケット２００は、ＮＦＣ  ｍｉｃｒｏＳＤカード１００のアンテナ用電極端子１０１および１０２と電気的に接続するためのアンテナ用コンタクトピン２０１、２０２を備えている。アンテナ用コンタクトピン２０１、２０２は、ループアンテナ６００の両端子に接続されている。アンテナ用電極端子１０１および１０２以外の電極端子（１列目の電極端子）は、全てコンタクトピンを通じてホストＬＳＩ７００に接続されている。
【００２１】
メモリカード検出機構２５０は、ＮＦＣ  ｍｉｃｒｏＳＤカード用ソケット２００に、ＮＦＣ  ｍｉｃｒｏＳＤカード１００を含むメモリカードが装着されているか否か、を二つの端子間の導通有無によって検出する機構である。このようなメモリカード検出機構２５０は、市販のメモリカード用ソケットにおいて広く用いられている。
【００２２】
図１３は、カード通信装置１０において、ＮＦＣ  ｍｉｃｒｏＳＤカード用ソケット２００に、誤ってＵＨＳ−ＩＩ  ｍｉｃｒｏＳＤカード１５０が装着された様子を示す図である。ＵＨＳ−ＩＩ  ｍｉｃｒｏＳＤカード１５０は、従来のｍｉｃｒｏＳＤカードのバスクロックやタイミング速度を引き上げて開発された高い転送速度のカード規格である。
【００２３】
ＵＨＳ−ＩＩ  ｍｉｃｒｏＳＤカード１５０においては、インタフェースの高速化のために、ＮＦＣ  ｍｉｃｒｏＳＤカード１００におけるアンテナ用電極端子１０１および１０２の設置位置、と重なる２列目の位置に、複数の高速信号専用端子１５２が設けられている。
【００２４】
したがって、カード通信装置１０のＮＦＣ  ｍｉｃｒｏＳＤカード用ソケット２００に、使用者が誤ってＵＨＳ−ＩＩ  ｍｉｃｒｏＳＤカード１５０を装着すると、図７に示されるように、アンテナ用コンタクトピン２０１、２０２がＵＨＳ−ＩＩ  ｍｉｃｒｏＳＤカード１５０の高速信号専用端子１５２に接触した状態となる。前述の通り、アンテナ用コンタクトピン２０１、２０２は、ループアンテナ６００の両端子と接続されているので、ループアンテナ６００がＵＨＳ−ＩＩ  ｍｉｃｒｏＳＤカード１５０の高速信号専用端子１５２に接触した状態となる。
【００２５】
ループアンテナ６００は、電磁結合で信号を送受信し、高速信号専用端子１５２に通常印加されるべき電圧と比較して１０倍以上高い電圧（例えば１５Ｖ）を両端子間に発生する。
【００２６】
したがって、図７のように、アンテナ用コンタクトピン２０１、２０２がＵＨＳ−ＩＩ  ｍｉｃｒｏＳＤカード１５０の高速信号専用端子１５２に接触した状態となると、ループアンテナ６００から許容耐圧をこえる電圧が高速信号専用端子１５２に印加される。これにより、高速信号専用端子１５２に繋がるカード内部の高速インタフェース回路素子は破壊されてしまう。
【００２７】
このような高速信号専用端子１５２に繋がるカード内部の高速インタフェース回路素子の破壊を防ぐために、ループアンテナ６００から印加される電圧を小さくするようにループアンテナ６００の形状や大きさを設計する対策が考えられる。
【００２８】
しかし、ＮＦＣ  ｍｉｃｒｏＳＤカード１００は、ループアンテナ６００からアンテナ用コンタクトピン２０１、２０２を通じて供給される電圧を、カード内部にてカード自体の駆動電力に変換している。したがって、装着されるＮＦＣ  ｍｉｃｒｏＳＤカード１００が、十分な駆動電力を得るためには、ループアンテナ６００から印加される電圧を不用意に下げることはできない。
【００２９】
また、一般に、ＮＦＣ  ｍｉｃｒｏＳＤカードと接続し電磁結合の相手となるリーダ、ライタ等は、ＮＦＣ  ｍｉｃｒｏＳＤカード以外のデバイスとも同様に通信が可能なように規格化されている。このため、ＮＦＣ  ｍｉｃｒｏＳＤカードのために電磁結合の強度を下げると、他のデバイスとの通信において、障害を起こす可能性があり、非現実的である。
【００３０】
他方、高速信号専用端子１５２に繋がるカード内部の高速インタフェース回路素子の破壊を防ぐためには、高速信号専用端子１５２の許容耐圧を高める対策も考えられる。
【００３１】
しかし、ＵＨＳ−ＩＩ  ｍｉｃｒｏＳＤカード１５０の高速信号専用端子１５２は、小振幅の信号を高速で受け渡しできる様に、従来のＳＤカードの信号端子の１／３以下の静電容量で形成されている。また、高速信号専用端子１５２は、微細な半導体プロセスで作られた高速インタフェース回路素子に繋がれている。この結果、高速信号専用端子１５２の許容耐圧は、従来のｍｉｃｒｏＳＤカードの接続端子の許容耐圧の１／３程度に低下しており、例えば１．５Ｖ程度しかない。
【００３２】
高速信号専用端子１５２の小さな許容耐圧を高めるには、高速信号専用端子１５２に保護素子を設ける手法が考えられる。けれども、前述のように、高速信号専用端子１５２の静電容量は、従来のＳＤカードの信号端子の静電容量の１／３以下に抑制する必要がある。したがって、十分な容量の保護素子を設けることはできず、保護素子の設置による許容耐圧の向上は困難である。
【００３３】
以上のように、従来のカード通信装置１０に、使用者の誤り等によって、ＵＨＳ−ＩＩ  ｍｉｃｒｏＳＤカード１５０を装着した場合には、アンテナ電圧によるメモリカードの破壊、という深刻な問題を引き起こすことを、本願発明者は、鋭意研究の結果、独自に見出した。
【００３４】
＜カード通信装置の構成＞
本実施形態のカード通信装置は、ＮＦＣ  ｍｉｃｒｏＳＤカード１００に対応しており、使用者の誤り等によって、ＵＨＳ−ＩＩ  ｍｉｃｒｏＳＤカード１５０をカードソケットに装着したとしても、アンテナ電圧によるメモリカードの破壊を引き起こさない構成としている。
【００３５】
図１は、本実施形態のカード通信装置１を含む無線カードシステムの構成を示している。無線カードシステムは、カード通信装置１とこれに装着されるＮＦＣ  ｍｉｃｒｏＳＤカード１００とから構成されている。カード通信装置１において、従来のカード通信装置１０と同一の部材については、同一の符号を付してその説明を省略する。
【００３６】
図１に示すように、カード通信装置１は、ホストＬＳＩ３００、スイッチ制御器４００、およびアンテナ切替器５００を備えている。
【００３７】
ホストＬＳＩ３００は、例えば大規模集積回路で構成され、カード通信装置１の動作全体の制御を司っている。ホストＬＳＩ３００は、ＮＦＣ  ｍｉｃｒｏＳＤカード用ソケット２００に装着されたＮＦＣ  ｍｉｃｒｏＳＤカード１００に指令を与え、ＮＦＣ  ｍｉｃｒｏＳＤカード１００との間で種々の信号をやり取りする。
【００３８】
スイッチ制御器４００は、ホストＬＳＩ３００からの指令に基づいて、アンテナ切替器５００を駆動し、アンテナ切替器５００の内部のスイッチ５１０、５２０の動作を制御する回路である。
【００３９】
アンテナ切替器５００は、アンテナ用コンタクトピン２０１、２０２とループアンテナ６００との間に設けられる。アンテナ切替器５００は、アンテナ用コンタクトピン２０１、２０２の電気的接続を、ループアンテナ６００に接続する状態と、接地する状態と、の間で切り替えるスイッチ５１０、５２０を内蔵している。スイッチ５１０、５２０は、スイッチ制御器４００からの信号に基づいて動作する。
【００４０】
＜カード装着時の処理＞
次に、図２のフローチャートを用いて、ＮＦＣ  ｍｉｃｒｏＳＤカード用ソケット２００にメモリカードを装着したときの、ホストＬＳＩ３００による制御フローについて説明する。なお、本実施形態のカード通信装置では、ＮＦＣ  ｍｉｃｒｏＳＤカード用ソケット２００にメモリカードが未装着の初期状態では、アンテナ用コンタクトピン２０１、２０２が接地されるように、スイッチ５１０、５２０が制御される。
【００４１】
ホストＬＳＩ３００は、何らかのメモリカードがＮＦＣ  ｍｉｃｒｏＳＤカード用ソケット２００に装着されると、メモリカード検出機構２５０の導通によってメモリカードの装着を検出する（Ｓ１０）。
【００４２】
ホストＬＳＩ３００が、ＮＦＣ  ｍｉｃｒｏＳＤカード用ソケット２００に対するメモリカードの装着を検出すると、ホストＬＳＩ３００は、メモリカードの初期化を実行する（Ｓ１１）。すなわち、ホストＬＳＩ３００は、ＮＦＣ  ｍｉｃｒｏＳＤカード用ソケット２００に装着されたメモリカードに対して、初期化指令を与え、ＮＦＣ  ｍｉｃｒｏＳＤカード用ソケット２００に装着されたメモリカードの初期化処理を実行する。なお、この初期化処理は、前述のカード端部側に位置する１列目のｍｉｃｒｏＳＤカードファミリーに共通の端子を通じてなされる。
【００４３】
次に、ホストＬＳＩ３００は、ＮＦＣ  ｍｉｃｒｏＳＤカード用ソケット２００に装着されたメモリカードに、その種類を問い合わせる（Ｓ１２）。具体的には、ホストＬＳＩ３００は、ＮＦＣ  ｍｉｃｒｏＳＤカード用ソケット２００に装着されたメモリカードに対して、メモリカードの種類を問い合わせるコマンドを発行する。このコマンドを受信したメモリカードは、内部レジスタの記録内容に従って、自らのカード種別（ＮＦＣ  ｍｉｃｒｏＳＤカードである、ＵＨＳ−ＩＩ  ｍｉｃｒｏＳＤカードである、など）をホストＬＳＩ３００に回答する。
【００４４】
ホストＬＳＩ３００は、メモリカードからの回答に従って、ＮＦＣ  ｍｉｃｒｏＳＤカード用ソケット２００に装着されたメモリカードが、ループアンテナ６００と接続すべき無線対応のメモリカード（ここでは、ＮＦＣ  ｍｉｃｒｏＳＤカード１００）であるか否かを判定する（Ｓ１３）。
【００４５】
ステップＳ１３の判定の結果、ＮＦＣ  ｍｉｃｒｏＳＤカード用ソケット２００に装着されたメモリカードが、無線対応のＮＦＣ  ｍｉｃｒｏＳＤカード１００であれば、ホストＬＳＩ３００は、ループアンテナ６００とＮＦＣ  ｍｉｃｒｏＳＤカードとを接続する（Ｓ１４）。具体的には、ホストＬＳＩ３００は、スイッチ制御器４００に指令を送り、スイッチ５１０、５２０の動作によって、アンテナ用コンタクトピン２０１、２０２をループアンテナ６００の両端子と電気的に接続して一連の処理を終了する。
【００４６】
一方、ステップＳ１３の判定の結果、ＮＦＣ  ｍｉｃｒｏＳＤカード用ソケット２００に装着されたメモリカードが、無線対応のＮＦＣ  ｍｉｃｒｏＳＤカード１００でなければ、ホストＬＳＩ３００は、何もせずに処理を終了する。
【００４７】
以上の処理によって、カード通信装置１においては、ＮＦＣ  ｍｉｃｒｏＳＤカード用ソケット２００にメモリカードが装着されていない場合や、ＮＦＣ  ｍｉｃｒｏＳＤカード用ソケット２００に装着されたメモリカードが無線対応のＮＦＣ  ｍｉｃｒｏＳＤカード１００でない場合、アンテナ用コンタクトピン２０１、２０２は、ループアンテナ６００と接続されることはない。これらの場合、アンテナ用コンタクトピン２０１、２０２は、グラウンドに接地される。
【００４８】
なお、ホストＬＳＩ３００は、メモリカード検出機構２５０からの出力によって、ＮＦＣ  ｍｉｃｒｏＳＤカード用ソケット２００からメモリカードが取り外されたことが検出されると、スイッチ制御器４００に指令を送る。この指令により、スイッチ５１０、５２０が動作し、アンテナ用コンタクトピン２０１、２０２をループアンテナ６００の両端子から電気的に切り離して接地する。
【００４９】
＜誤ったメモリカードを装着した場合＞
図３は、使用者が誤って、カード通信装置１のＮＦＣ  ｍｉｃｒｏＳＤカード用ソケット２００に、ＵＨＳ−ＩＩ  ｍｉｃｒｏＳＤカード１５０を装着したときの状態を示した図である。このような誤装着がなされた場合、前述のメモリカード装着後の処理ステップＳ１３において、装着されたメモリカードが、無線対応のＮＦＣ  ｍｉｃｒｏＳＤカード１００ではないと判定される（ステップＳ１３でＮｏ）。
【００５０】
それゆえ、アンテナ用コンタクトピン２０１、２０２は、ループアンテナ６００には接続されず、グラウンドに接地されたままである。これにより、ＮＦＣ  ｍｉｃｒｏＳＤカード用ソケット２００に装着されたＵＨＳ−ＩＩ  ｍｉｃｒｏＳＤカード１５０の高速信号専用端子１５２はループアンテナ６００には接続されない。この結果、高速信号専用端子１５２に繋がるカード内部の高速インタフェース回路素子は、ループアンテナ６００からの印加電圧によって破壊されることがない。
【００５１】
なお、ＮＦＣ  ｍｉｃｒｏＳＤカード用ソケット２００に、ＵＨＳ−ＩＩ  ｍｉｃｒｏＳＤカード１５０が装着された場合、ＵＨＳ−ＩＩ  ｍｉｃｒｏＳＤカード１５０は、ループアンテナ６００と接続されることはないが、カード端部側に位置する１列目の端子（図３参照）は、正常にホストＬＳＩ３００と接続される。これにより、ＵＨＳ−ＩＩ  ｍｉｃｒｏＳＤカード１５０は、信号の高速転送はできないが、通常のｍｉｃｒｏＳＤカードとしての機能を実現することは可能である。
【００５２】
＜スイッチ制御器の構成例＞
図４は、スイッチ制御器４００の内部構成の例を示した図である。この例では、ＲＳフリップフロップ４１０を用いてスイッチ制御器４００を構成している。ＲＳフリップフロップ４１０は、ホストＬＳＩ３００からのセット信号およびリセット信号を受け付ける。
【００５３】
具体的には、カード通信装置１において、ＮＦＣ  ｍｉｃｒｏＳＤカード１００がＮＦＣ  ｍｉｃｒｏＳＤカード用ソケット２００に装着されると、前述のメモリカード装着後の処理フローのうち、前記ステップＳ１３において、ＮＦＣ  ｍｉｃｒｏＳＤカード用ソケット２００に装着されたメモリカードが、無線対応のＮＦＣ  ｍｉｃｒｏＳＤカードであることが確認される。そうすると、ステップＳ１４において、ホストＬＳＩ３００は、セット用信号線４０１を介して、ＲＳフリップフロップ４１０にセット信号を出力する。これにより、ＲＳフリップフロップ４１０はセット状態となる。
【００５４】
他方、ホストＬＳＩ３００は、メモリカード検出機構２５０の導通状態によって、ＮＦＣ  ｍｉｃｒｏＳＤカード用ソケット２００からメモリカードが抜き去られたことを検出したり、現在ＮＦＣ  ｍｉｃｒｏＳＤカード用ソケット２００にメモリカードが装着されていないことを検出したりする。これらを検出したときには、ホストＬＳＩ３００は、リセット用信号線４０２を介して、ＲＳフリップフロップ４１０にリセット信号を出力する。これにより、ＲＳフリップフロップ４１０がリセット状態となる。
【００５５】
アンテナ切替器５００は、ＲＳフリップフロップ４１０の状態をスイッチ制御線４０３を介して検知する。アンテナ切替器５００は、検知したＲＳフリップフロップ４１０の状態に応じて、アンテナ用コンタクトピン２０１、２０２に通ずる信号線を切り替える。具体的には、アンテナ切替器５００は、ＲＳフリップフロップ４１０がセット状態であれば、アンテナ用コンタクトピン２０１、２０２に通ずる信号線をループアンテナ６００に接続する。他方、アンテナ切替器５００は、ＲＳフリップフロップ４１０がリセット状態であれば、アンテナ用コンタクトピン２０１、２０２に通ずる信号線を接地する。
【００５６】
＜主電源オフ時の動作＞
カード通信装置１において、さらに、カード通信装置１の主電源がオフ状態とされたときでも、メモリカード検出機構２５０、ホストＬＳＩ３００、スイッチ制御器４００、およびアンテナ切替器５００に、常時電源を供給する予備電源を設けてもよい。このような予備電源を設ければ、カード通信装置１の主電源がオフ状態のときであっても、ＬＳＩ３００は、前述の各処理を実行することが可能となる。
【００５７】
例えば、ＲＳフリップフロップ４１０は、カード通信装置１の主電源がオフ状態となったときでも、待機用電源７２０（予備電源）から電源供給を受けている。それゆえ、カード通信装置１の主電源がオフ状態となっても、ＲＳフリップフロップ４１０は、セット状態にあるかリセット状態にあるかを保持することできる。これにより、アンテナ用コンタクトピン２０１、２０２に通ずる信号線の経路も、カード通信装置１の主電源のオン、オフ状態に関わらず保持されることになる。
【００５８】
また、ホストＬＳＩ３００のうち、特に、メモリカード検出機構２５０からの検出信号を受け取る回路も、待機用電源７２０から電源供給を受けるものとしてもよい。
【００５９】
これにより、カード通信装置１の主電源がオフの待機状態のときであっても、ＮＦＣ  ｍｉｃｒｏＳＤカード用ソケット２００からメモリカードが抜き取られると、この抜き取りをホストＬＳＩ３００の一部にて検出することが可能となる。ホストＬＳＩ３００は、ＮＦＣ  ｍｉｃｒｏＳＤカード用ソケット２００からメモリカードが抜き去られたことを検出すると、ＲＳフリップフロップ４１０にリセット信号を与える。
【００６０】
逆に、カード通信装置１の主電源がオフの待機状態のとき、ＮＦＣ  ｍｉｃｒｏＳＤカード用ソケット２００に新たにメモリカードが装着された場合には、メモリカード検出機構２５０からの信号を受け取ったホストＬＳＩ３００の一部は、このメモリカードの装着を検出することが可能となる。このような場合、ホストＬＳＩ３００は、カード通信装置１の主電源を制御して、主電源をオフ状態からオン状態に切り替えてもよい。
【００６１】
カード通信装置１の主電源をオン状態に切り替えると、ホストＬＳＩ３００は、前述のメモリカード装着後の処理に従って、ＮＦＣ  ｍｉｃｒｏＳＤカード用ソケット２００に装着されたメモリカードの種類を判定する（前記ステップＳ１３参照）。そして、ＮＦＣ  ｍｉｃｒｏＳＤカード用ソケット２００に装着されたメモリカードが無線対応のＮＦＣ  ｍｉｃｒｏＳＤカード１００であると判定されれば、ホストＬＳＩ３００は、スイッチ制御器４００に指令を送る。この指令により、スイッチ制御器４００を介してアンテナ切替器５００を制御する。この結果、スイッチ５１０、５２０が動作し、アンテナ用コンタクトピン２０１、２０２をループアンテナ６００と接続する。
【００６２】
このようにして、カード通信装置１の主電源がオフの待機状態のときであっても、ＮＦＣ  ｍｉｃｒｏＳＤカード１００をＮＦＣ  ｍｉｃｒｏＳＤカード用ソケット２００に装着すれば、ＮＦＣ  ｍｉｃｒｏＳＤカード１００がループアンテナ６００に接続される。これにより、ＮＦＣ  ｍｉｃｒｏＳＤカード１００は、ループアンテナ６００からの給電を受けながら、ループアンテナ６００を通じて外部機器と無線交信する機能を実現することができる。
【００６３】
なお、ホストＬＳＩ３００は、ＮＦＣ  ｍｉｃｒｏＳＤカード用ソケット２００に装着されたＮＦＣ  ｍｉｃｒｏＳＤカード１００がループアンテナ６００と接続された後は、カード通信装置１の主電源を自動的にオフ状態としてもよい。この場合、カード通信装置１の主電源を自動的にオフ状態としても、ＮＦＣ  ｍｉｃｒｏＳＤカード用ソケット２００に装着されたＮＦＣ  ｍｉｃｒｏＳＤカード１００は、ループアンテナ６００に接続されたままの状態を維持する。これにより、カード通信装置１の主電源をオフ状態として電力を節減しながら、ＮＦＣ  ｍｉｃｒｏＳＤカード１００と外部機器との無線交信を実現ないし維持することが可能となる。
【００６４】
（実施の形態２）
図５を参照しながら、別の実施形態に係るカード通信装置２について説明する。カード通信装置２の構成のうち、カード通信装置１と同一の構成、動作については、その説明を省略する。
【００６５】
図５に示されるように、本実施形態のカード通信装置２は、実施の形態１の構成に加えて、アンテナ切替器５００とループアンテナ６００、との間に、入出力コンバータ５５０を備えている。入出力コンバータ５５０は、マイコンチップなどにより構成される。入出力コンバータ５５０は、ループアンテナ６００を介して無線信号の送受信を行う。
【００６６】
具体的には、入出力コンバータ５５０は、ループアンテナ６００にて受信したアナログの電磁誘導信号を所定のデジタル信号に変換し、このデジタル信号をアンテナ用コンタクトピン２０１、２０２に出力する。例えば、入出力コンバータ５５０は、アンテナ用コンタクトピン２０１、２０２に入出力し、ＮＦＣ  ｍｉｃｒｏＳＤカード１００とデジタル信号をやり取りするためのプロトコルとして、例えば、ＳＷＰ（Single Wire Protocol）を採用することができる。
【００６７】
ループアンテナ６００によって受信するアナログ信号をＳＷＰに対応した信号仕様に変換した場合、ＳＷＩＯ信号とＮＦＣ用の電源とが供給される。アンテナ用コンタクトピン２０１には、入出力コンバータ５５０からアンテナ切替器５００を介してＮＦＣ用電源が接続され、アンテナ用コンタクトピン２０２には、入出力コンバータ５５０からアンテナ切替器５００を介してＳＷＩＯ信号が接続される。
【００６８】
図６に、アンテナ切替器５００および入出力コンバータ５５０の詳細な構成を示す。アンテナ切替器５００はＡＮＤゲート５１〜５３を含む。これらのＡＮＤゲート５１〜５３とスイッチ制御器４００からの出力信号とに基づいて、入出力コンバータ５５０からＮＦＣ  ｍｉｃｒｏＳＤカード１００へのＮＦＣ用電源およびＳＷＩＯ信号の伝送／遮断が制御される。
【００６９】
入出力コンバータ５５０は、安定化電源回路８１１と整流器８１２と高周波カップリング器８１３とレベルシフト／入出力切替器８１４と波形成形器８１５とを備えている。図７は、入力出力コンバータの各回路の具体的な構成例を示した図である。高周波カップリング器８１３は例えば抵抗およびコンデンサで構成される。整流器８１２はダイオードで構成された全波整流ブリッジで構成される。波形成形器８１５はコンパレータで構成される。レベルシフト／入出力切替器８１４はロジック回路で構成される。
【００７０】
ループアンテナ６００により受信した信号（交流信号）は、高周波カップリング器８１３を介して整流器８１２に入力され、整流されて直流電圧に変換される。安定化電源回路８１１は整流器８１２からの直流電圧を所定の電圧に変換して、ＮＦＣ用電源として出力する。なお、安定化電源回路８１１からの出力電圧は、波形成形器８１５およびレベルシフト／入出力切替器８１４に対しても供給される。
【００７１】
また、ループアンテナ６００により受信した信号（交流信号）は、高周波カップリング器８１３を介して波形成形器８１５にも入力される。波形成形器８１５は、高周波カップリング器８１３から受けた信号を二値信号に変換する。レベルシフト／入出力切替器８１４は、波形成形器８１５から受けた二値信号のレベルを所定のレベルに変換してＳＷＰ信号として出力する。
【００７２】
また、レベルシフト／入出力切替器８１４は、ループアンテナ６００とＮＦＣ  ｍｉｃｒｏＳＤカード１００間の信号の伝送方向について制御するためのＳＷＩＯ出力制御信号を出力する。アンテナ切替器５００は、ＳＷＩＯ出力制御信号にしたがい、ループアンテナ６００に対する信号の送信動作またはループアンテナ６００からの信号の受信動作のための内部の回路を切り替える。
【００７３】
なお、図６においては、説明の便宜上、アンテナ切替器５００および入出力コンバータ５５０において、ループアンテナ６００で受信した信号をＮＦＣ  ｍｉｃｒｏＳＤカード１００へ伝達するための構成（受信動作のための構成）を主として示している。ＮＦＣ  ｍｉｃｒｏＳＤカード１００からの信号をアンテナ６００へ送信するための回路（送信動作のための構成）の構成については、説明の便宜上図６では省略している（以下の実施の形態においても同様）。
【００７４】
アンテナ切替器５００の動作は、スイッチ制御器４００からの出力信号によって制御される。具体的には、スイッチ制御器４００からの出力信号が「Ｈｉｇｈ」のとき、入出力コンバータ５５０から出力されるＮＦＣ用電源電圧およびＳＷＰ信号はＮＦＣ  ｍｉｃｒｏＳＤカード１００へ伝達される。一方、スイッチ制御器４００からの出力信号が「Ｌｏｗ」のときは、ＮＦＣ用電源およびＳＷＰ信号の信号線が、グランド電位に接続される。これにより、ＮＦＣ  ｍｉｃｒｏＳＤカード１００をループアンテナ６００から切り離される。
【００７５】
以上の構成によれば、アンテナ切替器５００のスイッチをアナログスイッチでなく、ロジック回路で構成でき、回路構成の小型化を実現することができる。また、ループアンテナ６００において電磁結合で受けた信号から駆動電力を生成する。このため、ＳＤカードの有無およびＳＤカードの種別に関わりなく、ループアンテナ６００において電磁結合で信号を受けると、入出力コンバータ５５０が動作する。
【００７６】
また、入出力コンバータ５５０がＮＦＣ  ｍｉｃｒｏＳＤカード１００とデジタル信号をやり取りするためのプロトコルとしてＳＷＰを採用する場合、ＮＦＣ  ｍｉｃｒｏＳＤカード１００は、ＳＷＰに従ってリーダ、ライタ等と交信することが容易となる。この場合、入出力コンバータ５５０の構成を比較的簡素なものとすることができる。なお、ＳＷＰに対応する入出力コンバータ５５０は、ＳＷＩＯチップとして市販されている。
【００７７】
入出力コンバータ５５０が、ループアンテナ６００にて受信したアナログの電磁結合信号を所定のデジタル信号に変換する場合のプロトコルは、ＳＷＰに限定されるものではなく、任意のプロトコルを採用してもよい。
【００７８】
同時に、入出力コンバータ５５０は、ループアンテナ６００にて受信した電磁誘導による信号を元に、アンテナ用コンタクトピン２０１、２０２に対し、例えば１．８Ｖや３Ｖといった比較的高い電圧を定格で供給する給電機能を備えている。すなわち、入出力コンバータ５５０は、ループアンテナ６００から出力された電磁誘導による起電力を電圧調整するレベルコンバータとしての役割も果たすことも可能である。
【００７９】
カード通信装置２においても、カード通信装置１と同様、入出力コンバータ５５０が供給する電圧（例えば１．８Ｖや３Ｖ）は、前述のＵＨＳ−ＩＩ  ｍｉｃｒｏＳＤカード１５０の高速信号専用端子１５２の許容耐圧である１．５Ｖ程度をこえている。
【００８０】
したがって、カード通信装置１と同様、使用者が誤って、カード通信装置２のＮＦＣ  ｍｉｃｒｏＳＤカード用ソケット２００に、ＮＦＣ  ｍｉｃｒｏＳＤカード１００ではなく、ＵＨＳ−ＩＩ  ｍｉｃｒｏＳＤカード１５０を装着すると、入出力コンバータ５５０の給電機能によって、高速信号専用端子１５２に繋がるＵＨＳ−ＩＩ  ｍｉｃｒｏＳＤカード１５０の内部の高速インタフェース回路素子を破壊してしまうおそれがある。
【００８１】
カード通信装置２のホストＬＳＩ３００は、ＮＦＣ  ｍｉｃｒｏＳＤカード用ソケット２００にメモリカードが装着された後、カード通信装置１のホストＬＳＩ３００と同一の処理フロー（図２参照）を実行する。
【００８２】
これにより、カード通信装置２においても、ＮＦＣ  ｍｉｃｒｏＳＤカード用ソケット２００にメモリカードが未装着の場合や、装着されたメモリカードが無線対応のＮＦＣ  ｍｉｃｒｏＳＤカード１００でない場合には、アンテナ用コンタクトピン２０１、２０２とループアンテナ６００とが接続されることはない。すなわち、これらの場合には、アンテナ用コンタクトピン２０１、２０２は接地される。
【００８３】
これにより、本実施形態のカード通信装置２においても、入出力コンバータ５５０からの高圧給電によって、誤って装着されたＵＨＳ−ＩＩ  ｍｉｃｒｏＳＤカード１５０が破壊されることを回避することができる。
【００８４】
（実施の形態３）
図８を参照し、更に別の実施形態に係るカード通信装置３について説明する。なお、カード通信装置３の構成のうち、カード通信装置１と同一の構成、動作については、その説明を省略する。
【００８５】
図８に示されるように、本実施形態のカード通信装置３は、実施の形態１の構成に加えて、アンテナ用コンタクトピン２０１、２０２とアンテナ切替器５００ｂとの間に、入出力コンバータ５５０ｂを備えている。
【００８６】
図９（ａ）に、アンテナ切替器５００ｂおよび入出力コンバータ５５０ｂの詳細な構成を示す。入出力コンバータ５５０ｂは、安定化電源回路９１１と整流器９１２と高周波カップリング器９１３とレベルシフト／入出力切替器９１４と波形成形器９１５とを備えている。これらの回路は基本的に実施の形態２で説明したものと同様である。
【００８７】
アンテナ切替器５００ｂは、スイッチ５１０、５２０として、ループアンテナ６００のアンテナ線間を短絡可能なトランジスタ１０２０を備えている。このトランジスタ１０２０のオン／オフはスイッチ制御器４００の出力信号に基づき制御される。トランジスタ１０２０がオンしてアンテナ線間を短絡することで、ＮＦＣ  ｍｉｃｒｏＳＤカード１００をループアンテナ６００から切り離すことができる。
【００８８】
図９（ｂ）にアンテナ切替器５００ｂの別の構成例を示す。この例では、ループアンテナ６００のアンテナ線のそれぞれに、スイッチ５１０、５２０として、トランジスタ１０２１、１０２２が設けられている。スイッチ制御器４００の出力信号に基づき、トランジスタ１０２１、１０２２をオフすることで、ＮＦＣ  ｍｉｃｒｏＳＤカード１００をループアンテナ６００から切り離すことができる。
【００８９】
（実施の形態４）
図１０を参照し、更に別の実施形態に係るカード通信装置４について説明する。なお、カード通信装置４の構成のうち、カード通信装置１と同一の構成、動作については、その説明を省略する。
【００９０】
図１０に示されるように、本実施形態のカード通信装置４は、アンテナ切替器は備えておらず、その代わりに、アンテナ用コンタクトピン２０１、２０２とループアンテナ６００との間に、入出力コンバータ５５０ｃを備えている。図１１に、入出力コンバータ５５０ｃの具体的な構成例を示す。入出力コンバータ５５０ｃは、安定化電源回路１０１１と整流器１０１２と高周波カップリング器１０１３とレベルシフト／入出力切替器１０１４と波形成形器１０１５とを備えている。これらの回路は基本的に実施の形態２で説明したものと同様である。
【００９１】
特に、本実施形態の安定化電源回路１０１１は、スイッチ制御器４００からの出力信号に基づいて起動／停止させられるように構成されている。安定化電源回路１０１１の停止により、ＮＦＣ  ｍｉｃｒｏＳＤカード１００および入出力コンバータ５５０ｃ内の各回路への電源の供給が停止する。これにより、入出力コンバータ５５０においてＮＦＣ用電源およびＳＷＩＯ信号の生成が停止するとともに、ＮＦＣ用電源の信号線およびＳＷＩＯ信号用の信号線のいずれもグランド電位に接続される。このため、ＮＦＣ  ｍｉｃｒｏＳＤカード１００をループアンテナ６００から切り離すことができる。すなわち、本実施形態の出力コンバータ５５０ｃは、アンテナ切替回路の機能をも備えている。
【００９２】
本出願において開示する技術の例示として、実施の形態１および２を説明した。しかしながら、本開示における技術は、これに限定されず、適宜、変更、置き換え、付加、省略などを行った実施の形態にも適用可能である。また、上記実施の形態１および２で説明した各構成要素を組み合わせて、新たな実施の形態とすることも可能である。
【００９３】
＜効果等＞
以上の実施の形態において、カード通信装置１、２は、ループアンテナ６００とメモリカードを装着するＮＦＣ  ｍｉｃｒｏＳＤカード用ソケット２００と、ＮＦＣ  ｍｉｃｒｏＳＤカード用ソケット２００にメモリカードが装着されたか否かを検出するメモリカード検出機構２５０と、ループアンテナ６００の端子とＮＦＣ  ｍｉｃｒｏＳＤカード用ソケット２００に装着されたメモリカードの所定の接続端子との電気的な接続をオン状態とオフ状態との間で切り替えるスイッチ制御器４００およびアンテナ切替器５００と、スイッチ制御器４００およびアンテナ切替器５００の動作を制御するホストＬＳＩ３００とを備えている。
【００９４】
そして、ホストＬＳＩ３００は、メモリカード検出機構２５０によってＮＦＣ  ｍｉｃｒｏＳＤカード用ソケット２００へのメモリカードの装着が検出されたとき、装着されたメモリカードの種類を判定し、判定されたメモリカードが特定種類のメモリカードである場合にのみ、前記電気的な接続をオフ状態からオン状態に切り替えるようにスイッチ制御器４００およびアンテナ切替器５００を制御する。逆に、メモリカード検出機構２５０によってＮＦＣ  ｍｉｃｒｏＳＤカード用ソケット２００からのメモリカードの抜き去りが検出されたとき、ホストＬＳＩ３００は、前記電気的な接続をオン状態からオフ状態に切り替えるようにスイッチ制御器４００およびアンテナ切替器５００を制御する。
【００９５】
本開示におけるカード通信装置は、アンテナ用電極端子を備えるメモリカードに対応しながら、他の種類のメモリカードが装着されたとしても問題を生ぜず、多くの場合にメモリカードを正常動作させることができる。例えば、アンテナとアンテナ用電極端子以外の端子とを接続することによるカード破壊を回避することが可能となる。
【００９６】
また、前記実施の形態において、ホストＬＳＩ３００は、メモリカード検出機構２５０によってＮＦＣ  ｍｉｃｒｏＳＤカード用ソケット２００からのメモリカードの取り外しが検出されたとき、前記電気的な接続をオフ状態とするようにスイッチ制御器４００およびアンテナ切替器５００を制御する。
【００９７】
これにより、次にメモリカードをＮＦＣ  ｍｉｃｒｏＳＤカード用ソケット２００に装着するときには、予めループアンテナ６００の端子と装着されるメモリカードの所定の接続端子との電気的な接続がオフ状態となっているので、誤カード装着時の電圧印加によるカード破壊を招くことがない。
【００９８】
また、前記実施の形態において、スイッチ制御器４００およびアンテナ切替器５００は、前記電気的な接続をオフ状態とするときには、メモリカードの接続端子を接地してもよい。メモリカードに対するダメージを回避する観点からは、単に前記電気的な接続をオフ状態にするよりは、接地状態に切り替える方がより効果的である。前記電気的な接続をオフ状態とした場合、アンテナ用コンタクトピンに接続される配線が外部からの誘導ノイズを受けて想定外の電圧に達するリスクを回避できるからである。
【００９９】
これにより、メモリカードの接続端子を電気的に保護することができるので、誤カード装着時の電圧印加によるカード破壊を招くことがない。
【０１００】
また、前記実施の形態において、ＮＦＣ  ｍｉｃｒｏＳＤカード用ソケット２００は、ループアンテナ６００とメモリカードとを電気的に接続するアンテナ用コンタクトピン２０１、２０２を備え、前記メモリカードの接続端子は、アンテナ用コンタクトピン２０１、２０２が接触するものである。
【０１０１】
また、前記実施の形態において、前記特定種類のメモリカードは、無線通信に対応するメモリカードである。
【０１０２】
また、前記実施の形態において、前記特定種類のメモリカードは、ＮＦＣ規格のメモリカードである。
【０１０３】
また、前記実施の形態において、前記特定種類のメモリカードは、ＳＤカードである。本明細書において、ＳＤカードとは、ＳＤカード規格、ｍｉｃｒｏＳＤカード規格、これらのファミリー規格のカードを広く含む概念である。
【０１０４】
また、前記実施の形態において、スイッチ制御器４００は、ホストＬＳＩ３００からのセット信号およびリセット信号を受け付けるフリップフロップを備えている。これにより、フリップフロップは、セット状態かリセット状態かのいずれかを保持するので、これに対応させて前記電気的な接続のオン状態またはオフ状態を保持することが可能となる。
【０１０５】
また、前記実施の形態において、カード通信装置１、２の主電源がオフ状態のときに、メモリカード検出機構２５０、スイッチ制御器４００、アンテナ切替器５００、およびホストＬＳＩ３００に電力を供給する予備電源として待機用電源７２０等を更に備えてもよい。
【０１０６】
これにより、カード通信装置１、２の主電源をオフ状態としたときであっても、メモリカードの装着、取り外しに応じて、前記電気的接続の切り替えを実行することが可能となる。例えば、カード通信装置１、２の主電源がオフ状態のときに、ＮＦＣ  ｍｉｃｒｏＳＤカード用ソケット２００に装着されたＮＦＣ  ｍｉｃｒｏＳＤカード１００をループアンテナ６００に接続し、ＮＦＣ  ｍｉｃｒｏＳＤカード１００と外部機器との無線通信を実現することができる。
【０１０７】
カード通信装置１、２の主電源をオフ状態としたときであっても、メモリカードの装着、取り外しに応じて、前記電気的接続の切り替えを実行することが可能となる。例えば、カード通信装置１、２の主電源がオフ状態のときに、ＮＦＣ  ｍｉｃｒｏＳＤカード用ソケット２００に装着されたＮＦＣ  ｍｉｃｒｏＳＤカード１００をループアンテナ６００に接続し、ＮＦＣ  ｍｉｃｒｏＳＤカード１００と外部機器との無線通信を実現することができる。
【０１０８】
カード通信装置１、２は、例えば、パーソナルコンピュータ、デジタルカメラ、デジタルビデオ、カードアダプタ等の電子機器に組込まれ、リーダ、ライタ等を介して、外部装置との通信を行う。カード通信装置１、２は、これら外部装置との間で、例えば、課金情報やチケット情報やポイント情報などの更新や、さらには個々の外部装置特有の情報の入手や、画像データや音声データを交換するなどのやり取りを行う。具体的には、カード通信装置１、２は、外部装置から受け取った各種データをＮＦＣ  ｍｉｃｒｏＳＤカード１００に書き込んだり、ＮＦＣ  ｍｉｃｒｏＳＤカード１００に格納された各種データを送出したりする。
【０１０９】
すなわち、カード通信装置１、２は、パーソナルコンピュータ、デジタルカメラ、デジタルビデオカメラ、カードアダプタ等が、ｍｉｃｒｏＳＤカード１００を介して外部装置と各種データをやり取りする周辺機器として用いられる。
【０１１０】
以上のように、本開示における技術の例示として、実施の形態を説明した。そのために、添付図面および詳細な説明を提供した。
【０１１１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１３】
本開示は、外部機器と無線通信する無線通信用メモリカードをカードソケットに装着するカード通信装置に適用可能である。
【符号の説明】
【０１１４】
１００  ＮＦＣ  ｍｉｃｒｏＳＤカード
１０１  アンテナ用電極端子
１０２  アンテナ用電極端子
１５０  ＵＨＳ−ＩＩ  ｍｉｃｒｏＳＤカード
１５２  高速信号専用端子
２００  ＮＦＣ  ｍｉｃｒｏＳＤカード用ソケット
２０１  アンテナ用コンタクトピン
２０２  アンテナ用コンタクトピン
２５０  メモリカード検出機構
３００  ホストＬＳＩ
４００  スイッチ制御器
４０１  セット用信号線
４０２  リセット用信号線
４０３  スイッチ制御線
４１０  ＲＳフリップフロップ
５００  アンテナ切替器
５１０  スイッチ
５２０  スイッチ
６００  外部アンテナ
７００  ホストＬＳＩ
７２０  待機用電源
【図１】
2013178758.tif 000003
【図２】
2013178758.tif 000004
【図３】
2013178758.tif 000005
【図４】
2013178758.tif 000006
【図５】
2013178758.tif 000007
【図６】
2013178758.tif 000008
【図７】
2013178758.tif 000009
【図８】
2013178758.tif 000010
【図９】
2013178758.tif 000011
【図１０】
2013178758.tif 000012
【図１１】
2013178758.tif 000013
【図１２】
2013178758.tif 000014
【図１３】
2013178758.tif 000015